(57)【要約】【課題】床面をロボット掃除機等で清掃する場合等に、より簡易な構成によって、椅子をテーブルに引っ掛けて床面から浮かせることが望まれている。【解決手段】椅子１０は、座部１１と、座部１１の後部から上方へ立ち上がった背部１２と、座部１１の前部から下方へ延びる前脚１３と、座部１１の後部の左右両側に、それぞれ、上から下へ延びるように設けられ、座部１１から上方は斜め前方へ延び上がった支持部２０１を構成し、座部１１から下方は後脚２０２を構成している一対の肘掛け支持部兼後脚２０と、支持部２０１の上端および背部１２の側部に対して水平方向に取り付けられた一対の肘掛け２１とを備える。支持部２０１には、テーブル３０の天板３１に引っ掛けるために、前端端から水平に後方へ伸びる掛止用段部２０３が形成されている。【選択図】図１
2018042910.tif 000002
【特許請求の範囲】
【請求項１】
座部と、
前記座部の後部から上方へ立ち上がった背部と、
前記座部の前部から下方へ延びる前脚と、
前記座部の後部の左右両側に、それぞれ、上から下へ延びるように設けられ、前記座部から上方は斜め前方へ延び上がった支持部を構成し、前記座部から下方は後脚を構成している一対の肘掛け支持部兼後脚と、
前記支持部の上端および前記背部の側部に対して水平方向に取り付けられた一対の肘掛けとを備え、
前記支持部には、テーブルの天板に引っ掛けるために、前端縁から水平に後方へ伸びる掛止用段部が形成されていることを特徴とする、椅子。
【請求項２】
前脚、座部側方フレームおよび背部側方フレームが、クランク状に一体形成された一対のメインフレームと、
前記一対のメインフレームの座部側方フレームの後部外側に、それぞれ、上方から下方に延びるように組み合わされ、前記座部側方フレームから上方は斜め前方へ延び上がった支持部を構成し、前記座部側方フレームから下方は後脚を構成している一対のサブフレームと、
前記サブフレームの上端および前記背部側方フレームに対して水平方向に取り付けられた一対の肘掛けとを備え、
前記サブフレームの前記支持部には、テーブルの天板に引っ掛けるために、前端縁から水平に後方へ伸びる掛止用段部が形成されていることを特徴とする、椅子。
【請求項３】
前記一対の肘掛け支持部兼後脚は、手前から後方に向かって上から下へ斜めに延びる直線状の部材を含み、
前記支持部は、側面視で上部の幅が相対的に広く、下部の幅が相対的に狭くされ、上部と下部との境界に前記掛止用段部が形成されていることを特徴とする、請求項１に記載の椅子。
【請求項４】
前記一対の肘掛け支持部兼後脚は、手前から後方に向かって上から下へ斜めに延びる直線状の部材を含み、
前記支持部は、側面視でクランク状に曲げられた部分を含み、当該クランク状に曲げられた部分に前記掛止用段部が形成されていることを特徴とする、請求項１に記載の椅子。
【請求項５】
前記一対のサブフレームは、手前から後方に向かって上から下へ斜めに延びる直線状の部材を含み、
前記支持部は、側面視で上部の幅が相対的に広く、下部の幅が相対的に狭くされ、上部と下部との境界に前記掛止用段部が形成されていることを特徴とする、請求項１に記載の椅子。
【請求項６】
前記一対のサブフレームは、手前から後方に向かって上から下へ斜めに延びる直線状の部材を含み、
前記支持部は、側面視でクランク状に曲げられた部分を含み、当該クランク状に曲げられた部分に前記掛止用段部が形成されていることを特徴とする、請求項１に記載の椅子。
【請求項７】
請求項１〜６のいずれに記載の椅子と組み合わせて使用されるテーブルであって、
前記椅子の掛止用段部が天板端に引っ掛けられた時に、前記椅子の座部の前部中央部を保持するために、天板の下面には、側面視Ｌ状の鉤形係止部が設けられていることを特徴とする、テーブル。
【発明の詳細な説明】
【技術分野】
【０００１】
この発明は、椅子およびテーブルに関するものであり、特に、テーブルに対してぶら下げ可能な構造を有する椅子と、当該椅子と組み合わせて用いられるテーブルに関するものである。
【背景技術】
【０００２】
床面の清掃時において、椅子の存在は清掃の邪魔になるため、椅子を床面から浮かせることができる構造にしたものが、先行技術として種々提案されている。
たとえば特許文献１には、背もたれを回動可能に構成し、椅子を床面から浮かせる場合には、背もたれを回動させ、当該背もたれをテーブルの天面の上に係合させて椅子を床面から浮かせるようにした構成が提案されている。
【０００３】
特許文献２には、テーブルの天板の下面に設けられ、椅子を床面から浮上させた状態で係止しておくための椅子係止装置が提案されている。
特許文献３には、テーブルと椅子からなるテーブルセットにおいて、テーブルの天板下面から所定距離離間させて係止保持板を設け、当該係止保持板と天板とによって椅子の座面板または肘掛けを挟持できる構成が提案されている。
【０００４】
特許文献４には、椅子の笠木（肘掛け）を長くして、テーブルの天板に椅子の笠木を乗せてぶら下げられるようにした椅子が提案されている。
【先行技術文献】
【特許文献】
【０００５】
【特許文献１】特許第５５６０３５７号公報
【特許文献２】特許第２７０１８１６号公報
【特許文献３】特許第４０１７６２２号公報
【特許文献４】実開昭６０−１０３３４４号公報
【発明の概要】
【発明が解決しようとする課題】
【０００６】
従来より提案されている椅子を床面から浮かせるための構成は、背もたれを可動にするという可動構造を採用したものであったり、テーブル側に設ける椅子係止のための機構が大がかりなものであったり、椅子の笠木（肘掛け）自体を特別な長さにしなければならないといった課題がある。
一方、椅子を床面から浮かせる必要性は、床面をロボット掃除機等で清掃する場合等に限られることが多く、より簡易な構成によって、椅子をテーブルに引っ掛けて床面から浮かせることができる構成とするのが望ましい。
【０００７】
この発明は、かかる背景のもとになされたものであり、簡易な構成によって床面から浮かせることのできる椅子を提供することを主たる目的とする。
この発明は、また、椅子をテーブルに引っ掛けた際に、その引っ掛け状態を安定させるための簡易な機構が付加されたテーブルを提供することを他の目的とする。
【課題を解決するための手段】
【０００８】
請求項１記載の発明は、座部と、前記座部の後部から上方へ立ち上がった背部と、前記座部の前部から下方へ延びる前脚と、前記座部の後部の左右両側に、それぞれ、上から下へ延びるように設けられ、前記座部から上方は斜め前方へ延び上がった支持部を構成し、前記座部から下方は後脚を構成している一対の肘掛け支持部兼後脚と、前記支持部の上端および前記背部の側部に対して水平方向に取り付けられた一対の肘掛けとを備え、前記支持部には、テーブルの天板に引っ掛けるために、前端縁から水平に後方へ伸びる掛止用段部が形成されていることを特徴とする、椅子である。
【０００９】
請求項２記載の発明は、前脚、座部側方フレームおよび背部側方フレームが、クランク状に一体形成された一対のメインフレームと、前記一対のメインフレームの座部側方フレームの後部外側に、それぞれ、上方から下方に延びるように組み合わされ、前記座部側方フレームから上方は斜め前方へ延び上がった支持部を構成し、前記座部側方フレームから下方は後脚を構成している一対のサブフレームと、前記サブフレームの上端および前記背部側方フレームに対して水平方向に取り付けられた一対の肘掛けとを備え、前記サブフレームの前記支持部には、テーブルの天板に引っ掛けるために、前端縁から水平に後方へ伸びる掛止用段部が形成されていることを特徴とする、椅子である。
【００１０】
請求項３記載の発明は、前記一対の肘掛け支持部兼後脚は、手前から後方に向かって上から下へ斜めに延びる直線状の部材を含み、前記支持部は、側面視で上部の幅が相対的に広く、下部の幅が相対的に狭くされ、上部と下部との境界に前記掛止用段部が形成されていることを特徴とする、請求項１に記載の椅子である。
請求項４記載の発明は、前記一対の肘掛け支持部兼後脚は、手前から後方に向かって上から下へ斜めに延びる直線状の部材を含み、前記支持部は、側面視でクランク状に曲げられた部分を含み、当該クランク状に曲げられた部分に前記掛止用段部が形成されていることを特徴とする、請求項１に記載の椅子である。
【００１１】
請求項５記載の発明は、前記一対のサブフレームは、手前から後方に向かって上から下へ斜めに延びる直線状の部材を含み、前記支持部は、側面視で上部の幅が相対的に広く、下部の幅が相対的に狭くされ、上部と下部との境界に前記掛止用段部が形成されていることを特徴とする、請求項１に記載の椅子である。
請求項６記載の発明は、前記一対のサブフレームは、手前から後方に向かって上から下へ斜めに延びる直線状の部材を含み、前記支持部は、側面視でクランク状に曲げられた部分を含み、当該クランク状に曲げられた部分に前記掛止用段部が形成されていることを特徴とする、請求項１に記載の椅子である。
【００１２】
請求項７記載の発明は、請求項１〜６のいずれに記載の椅子と組み合わせて使用されるテーブルであって、前記椅子の掛止用段部が天板端に引っ掛けられた時に、前記椅子の座部の前部中央部を保持するために、天板の下面には、側面視Ｌ状の鉤形係止部が設けられていることを特徴とする、テーブルである。
【発明の効果】
【００１３】
この発明によれば、肘掛け支持部に、椅子をテーブルの天板に引っ掛けるための掛止用段部を形成したことにより、極めて簡易な構成により、椅子をテーブルの天板に引っ掛けることができ、椅子を床面から浮かせることができる。
また、肘掛け支持部に掛止用段部を形成したことにより、肘掛け（の先端部分等）をテーブルの天板に引っ掛ける必要がなくなり、肘掛けデザインの自在性が向上する。
【００１４】
また、この発明によれば、肘掛け支持部に形成した掛止用段部が椅子のアクセントとなっており、デザイン面において掛止用段部が違和感なく融合したぶら下げ機能付き椅子を提供することができる。
この発明のテーブルは、天板に椅子を掛止した状態において、その掛止した椅子をより安定的に保持することができる。
【図面の簡単な説明】
【００１５】
【図１】図１は、この発明の一実施形態に係る椅子１０の斜視図である。
【図２】図２は、この発明の一実施形態に係る椅子１０の平面図（図２ａ））、背面図（図２（ｂ））および右側面図（図２（ｃ））である。
【図３】図３は、この発明の一実施形態に係る椅子１０をテーブルの天板に引っ掛けて椅子を床面から浮かせた状態の側面図である。
【図４】図４は、この発明の一実施形態に係るテーブル３０の正面図（図４（ａ））および右側面図（図４（ｂ））である。
【図５】図５は、テーブル３０に椅子１０を引っ掛けた状態の側面図である。
【図６】図６は、椅子１０をスタッキングした状態を示す斜視図である。
【図７】図７は、この発明の他の実施形態に係る椅子４０の右側面図である。
【図８】図８は、この発明のさらに他の実施形態に係る椅子５０の右側面図である。
【発明を実施するための形態】
【００１６】
以下には、図面を参照して、この発明の実施形態について具体的に説明をする。
図１は、この発明の一実施形態に係る椅子１０の斜視図である。また、図２は、椅子１０の平面図（図２（ａ））、背面図（図２（ｂ））および右側面図（図２（ｃ））である。
図１および図２を参照して説明すると、椅子１０は、人が腰掛けた時にその臀部を受け取めるための座部１１と、座部１１の後部から上方へ立ち上がった背部１２と、座部１１の前部から下方へ延びる一対の前脚１３とを有している。
【００１７】
より具体的には、前脚１３、座部側方フレーム１１１および背部側方フレーム１２１が、たとえば木材、樹脂、金属などの材料を用いて一体に形成され、クランク状に曲った一対のメインフレーム１４を有している。
そして、座部１１は、一対の座部側方フレーム１１１間に水平に設けられた座板１５および座板１５の下方を支持するように座部側方フレーム１１１間に掛け渡された桟木１６を備えている。
【００１８】
背部１２は、一対の背部側方フレーム１２１間に掛け渡された上桟木１７および下桟木１８と、上桟木１７および下桟木１８間に設けられた背もたれ１９とを備えている。これら上桟木１７、下桟木１８および背もたれ１９は、後方に向かって緩く湾曲した形状をし、椅子１０に座った際に人の背中を快適に支えられるようにされている。
なお、背部１２の上桟木１７、下桟木１８および背もたれ１９は、一体に構成されたものであってもよい。
【００１９】
この実施形態に係る椅子１０の特徴は、特有の形態をした一対の肘掛け支持部兼後脚２０および一対の肘掛け２１を有することである。
より具体的には、一対のメインフレーム１４の各座部側方フレーム１１１の後部外側（すなわち、座部１１の後部の左右両側）に、それぞれ、手前上方から後ろ下方に向かって斜めに延びる肘掛け支持部兼後脚２０が設けられている。肘掛け支持部兼後脚２０のうち、座部側方フレーム１１１（すなわち、座部１１）から上方は、斜め前方へ延び上がった支持部２０１を構成しており、座部側方フレーム１１１（すなわち、座部１１）から下方は、斜め後ろへ延びる後脚２０２を構成している。
【００２０】
一対の肘掛け支持部兼後脚２０は、この実施形態において、一対のメインフレーム１４と組み合わされる一対のサブフレーム２０として機能している。当該サブフレーム（肘掛け支持部兼後脚）２０は、たとえば木材、樹脂、金属などの材料を用いて一体に成形され、直線状に伸びる形態である。
サブフレーム２０の上端、すなわち支持部２０１の上端と背部側方フレーム１２１とに対して、肘掛け２１が水平方向に取り付けられている。
【００２１】
そして、サブフレーム（肘掛け支持部兼後脚）２０の支持部２０１には、テーブルの天板に引っ掛けるために、前端縁から水平に後方へ伸びる掛止用段部２０３が形成されている。
この実施形態では、掛止用段部２０３が椅子１０全体の意匠の中に違和感なく溶け込むように、支持部２０１において、その上部の前後幅を相対的に広くし、その下部の前後幅は、支持部２０１から下方へ延びる後脚２０２と等しい幅とされている。これにより、支持部２０１の上部は肘掛け２１との一体感が生じ、かつ、意匠的にもまとまりのある形態となっている。
【００２２】
なお、この実施形態に係る椅子１０は、一対のメインフレーム１４も、一対のサブフレーム２０も、直線を基調にした形状のものを例示したが、これに限定されるものではない。要は、サブフレーム２０の支持部２０１に形成された掛止用段部２０３が、椅子１０全体の中で座部１１の後部よりも前寄りに位置していて、掛止用段部２０３をテーブルの天板に引っ掛けた際に、椅子１０がバランスを保ちつつ引っ掛けられるものであればよい。
【００２３】
図３は、椅子１０をテーブルＴの天板３１に引っ掛けて床面Ｆから浮かせた状態を示す側面図である。この実施形態にかかる椅子１０は、肘掛け支持部兼後脚（サブフレーム）２０が、メインフレーム１４に対して手前から後方へ向かって上から下へ斜めに延びるように組み合わされている。このため、支持部２０１、換言すれば掛止用段部２０３は、椅子１０全体の中で座部１１の後部よりも前寄りに位置しており、掛止用段部２０３を天板３１に引っ掛けた状態において、椅子１０はやや前に傾くものの、天板３１の縁に安定して引っ掛けることができる。
【００２４】
図４は、椅子１０と組み合わせて用いることのできるこの発明の一実施形態に係るテーブル３０の一例を示す正面図（図４（ａ））および右側面図（図４（ｂ））である。
テーブル３０の特徴は、天板３１の下面３１１に、椅子１０の掛止用段部２０３が天板３１端部に引っ掛けられた時に、椅子１０の座部１１の前部中央部を保持するための係止部３２が設けられていることである。係止部３２は、天板３１の下面３１１から突出する側面視Ｌ状の鉤形をしたものであり、シンプルな形態をしている。係止部３２は、テーブル３０に引っ掛ける椅子１０の数に合わせ、この実施形態では、４脚の椅子１０をテーブル３０に引っ掛けることを想定して、４つの係止部３２が設けられている。
【００２５】
図５は、図４に示すテーブル３０に椅子１０を引っ掛けた状態の側面図である。椅子１０をテーブル３０に引っ掛ける場合には、最初に、座部１１の前部中央部を係止部３２に保持させ、その後、掛止用段部２０３を天板３１の端部に引っ掛ければよい。この状態で、椅子１０は、座部１１の前部中央部と掛止用段部２０３とによって、テーブル３０の天板３１に安定して係止され、床面から浮いた状態になる。
【００２６】
図６は、たとえば３台の椅子１０を積み重ねて載置した、いわゆるスタッキング状態を示す斜視図である。
この実施形態に係る椅子１０は、メインフレーム１４、肘掛け２１および肘掛け支持部兼後脚（サブフレーム）２０が直線を基調にしたシンプルな形状であり、また、肘掛け２１の前端がサブフレーム２０の前端と合わされているから、図６に示すように、スタッキング性にも優れた椅子１０となっている。
【００２７】
図７は、この発明の他の実施形態に係る椅子４０の右側面図である。
図７に示す椅子４０の特徴は、肘掛け支持部兼後脚（サブフレーム）２０は、手前から後方に向かって上から下へ斜めに延びる直線状の部材を含み、その上部に位置する支持部２０１が、側面視でクランク状に曲げられた部分を含み、当該クランク状に曲げられた部分に掛止用段部２０３が形成されていることである。
【００２８】
椅子４０のその余の構成は、先に説明した椅子１０の構成と同じであり、同一部分には同一の参照符号を付し、説明については省略する。
図８は、この発明のさらに他の実施形態に係る椅子５０の右側面図である。
図８に示す椅子５０の特徴は、肘掛け支持部兼後脚（サブフレーム）２０が、座部１１の後部に対してほぼ上下に延びるように取り付けられていて、その上部に位置する支持部２０１は、側面視で幅広の上部と、側面視で幅狭（後脚２０２と同じ幅）の下部とを含んでおり、幅広の上部下縁が掛止用段部２０３とされていることである。
【００２９】
椅子５０のその余の構成は、先に説明した椅子１０の構成と同じであり、同一部分には同一の参照符号を付し、説明については省略する。
この発明は、以上説明した実施形態に限定されるものではなく、請求項記載の範囲内において種々の変更が可能である。
【符号の説明】
【００３０】
１０，４０，５０    椅子
１１    座部
１２    背部
１３    前脚
１４    メインフレーム
１５    座板
１６    桟木
１７    上桟木
１８    下桟木
１９    背もたれ
２０    肘掛け支持部兼後脚（サブフレーム）
２１    肘掛け
３０    テーブル
３１    天板
３２    係止部
１１１    座部側方フレーム
１２１    背部側方フレーム
２０１    支持部
２０２    後脚
２０３    掛止用段部
３１１    下面
【図１】
2018042910.tif 000003
【図２】
2018042910.tif 000004
【図３】
2018042910.tif 000005
【図４】
2018042910.tif 000006
【図５】
2018042910.tif 000007
【図６】
2018042910.tif 000008
【図７】
2018042910.tif 000009
【図８】
2018042910.tif 000010